(57)【要約】【課題】ユーザが電話の着信を認識が遅れず、かつ、ユーザの耳を保護することが可能な携帯電子機器を提供する。【解決手段】携帯電話機１は、第１筐体２と、第１筐体２に配設される超音波発生部２０と、超音波発生部２０から出射された超音波が対象物１８に当たって反射した反射波を検出して対象物との位置を検出可能な超音波距離センサ１６と、着信音を出力するスピーカ１２と、制御部５７と、を有し、制御部５７は、着信があった場合に、超音波発生部２０に超音波を発生し、超音波距離センサ１６での検出値によって対象物１８が一定の距離以上であると判断したときに、着信音を設定音量で出力し、超音波距離センサ１６での検出値によって対象物１８が一定の距離以内であると判断した場合に、着信音を設定音量よりも小さい音量で出力し、その後、徐々に設定音量まで着信音の音量を上げる。【選択図】図２
2011135551.tif 000002
【特許請求の範囲】
【請求項１】
筐体と、
筐体に配設される超音波発生部と、
前記超音波発生部から出射された超音波が対象物で反射した反射波を検出して対象物との位置を検出可能な超音波距離センサと、
着信音を出力する音出力部と、
制御部と、を有し、
前記制御部は、着信があった場合に、前記超音波発生部に超音波を発生し、
前記超音波距離センサでの検出値によって対象物が一定の距離以上であると判断したときに、着信音を設定音量で出力し、
前記超音波距離センサでの検出値によって対象物が一定の距離以内であると判断した場合に、着信音を設定音量よりも小さい音量で出力し、その後、徐々に設定音量まで着信音の音量を上げる
携帯電子機器。
【請求項２】
着信音を出力する前記音出力部は前記超音波発生部を兼ねる
請求項１に記載の携帯電子機器。
【請求項３】
前記制御部は、
前記超音波距離センサによって検出される対象物の位置が近接するに従い着信音の音量を徐々に小さくする
請求項１又は２に記載の携帯電子機器。
【請求項４】
前記制御部は、
前記超音波距離センサによって検出される対象物の位置が一定以内に近接すると、自動的に通話状態とする
請求項３に記載の携帯電子機器。
【請求項５】
加速度センサを有し、
前記加速度センサの検出した加速度に応じて、前記超音波距離センサのゲインを変化させる
請求項１〜４のいずれか１項に記載の携帯電子機器。
【請求項６】
前記超音波距離センサは、
前記超音波発生部から出射された超音波のうち対象物に当たって反射し前記超音波距離センサに入射した第１の超音波の周波数と、対象物に当たらずに直接前記超音波距離センサに入射した第２の超音派の周波数との差分に応じて、前記超音波距離センサのゲインを変化させる
請求項１〜５のいずれか１項に記載の携帯電子機器。
【請求項７】
前記超音波発生部を２つ以上備え、
それぞれの前記超音波発生部は、それぞれ異なる超音波の周波数に同じ着信音を重畳させて出射する
請求項２〜６のいずれか１項に記載の携帯電子機器。
【請求項８】
前記超音波発生部を２つ備え、
第１の超音波発生部は第１の超音波を発生し、第２の超音波発生部は第２の超音波を発生し、前記第１の超音波と前記第２の超音波とは、
前記それぞれの超音波の干渉によって、うなり音を発生させる
請求項２〜６のいづれか１項に記載の携帯電子機器。
【請求項９】
照度センサを有し、
前記制御部は、前記照度センサの出力が所定値よりも小さい場合には、前記超音波距離センサ及び前記超音波発生部を作動させない
請求項１〜７いずれか１項に記載の携帯電子機器。
【発明の詳細な説明】
【技術分野】
【０００１】
本発明は、超音波を発生可能な携帯電話機、ＰＤＡ、携帯型ゲーム機、携帯用テレビ、携帯用ラジオ等の携帯電子機器に関する。
【背景技術】
【０００２】
特許文献１には、着信報知音の発音態様を経時的に変化させる携帯電子機器が記載されている。
【０００３】
このように、スピーカの音量を徐々に上げてゆくのは、スピーカにユーザが耳を寄せている場合に、最初から大音量で着信音を出力するとユーザの耳に負担がかかる恐れがあるからである。
【０００４】
また、特許文献２には、聴取者に対し、大きい音圧を有する音声を出力することができる超指向性スピーカ及びスピーカの駆動方法が開示されている。
【０００５】
さらに、特許文献３には、電子機器に体の一部を当てているか否かを検出する電子機器が開示されている。
【先行技術文献】
【特許文献】
【０００６】
【特許文献１】特開２００４―１４６９３４号公報
【特許文献２】特開平１１―１６４３８４号公報
【特許文献３】特開２００６―５０５０５+号公報
【発明の概要】
【発明が解決しようとする課題】
【０００７】
しかしながら、特許文献１に記載の方法では、着信音が最初は小さいことから、ユーザが電話の着信を認識するのが遅れる可能性があるという不利益がある。
【０００８】
本発明の目的は、ユーザが電話の着信を認識が遅れず、かつ、ユーザの耳を保護することが可能な携帯電子機器を提供することである。
【課題を解決するための手段】
【０００９】
本発明の携帯電子機器は、筐体と、筐体に配設される超音波発生部と、前記超音波発生部から出射された超音波が対象物で反射した反射波を検出して対象物との位置を検出可能な超音波距離センサと、着信音を出力する音出力部と、制御部と、を有し、前記制御部は、着信があった場合に、超音波発生部に超音波を発生し、前記超音波距離センサでの検出値によって対象物が一定の距離以上であると判断したときに、着信音を設定音量で出力し、前記超音波距離センサでの検出値によって対象物が一定の距離以内であると判断した場合に、着信音を設定音量よりも小さい音量で出力し、その後、徐々に設定音量まで着信音の音量を上げる。
【００１０】
好適には、着信音を出力する前記音出力部は前記超音波発生部を兼ねる。
【００１１】
好適には、前記制御部は、前記超音波距離センサによって検出される対象物の位置が近接するに従い着信音の音量を徐々に小さくする。
【００１２】
好適には、前記制御部は、前記超音波距離センサによって検出される対象物の位置が一定以内に近接すると、自動的に通話状態とする。
【００１３】
好適には、加速度センサを有し、前記加速度センサの検出した加速度に応じて、前記超音波距離センサのゲインを変化させる。
【００１４】
好適には、前記超音波距離センサは、前記超音波発生部から出射された超音波のうち対象物に当たって反射し前記超音波距離センサに入射した第１の超音波の周波数と、対象物に当たらずに直接前記超音波距離センサに入射した第２の超音派の周波数との差分に応じて、前記超音波距離センサのゲインを変化させる。
【００１５】
好適には、前記超音波発生部を２つ以上備え、それぞれの前記超音波発生部は、それぞれ異なる超音波の周波数に同じ着信音を重畳させて出射する。
【００１６】
好適には、前記超音波発生部を２つ備え、第１の超音波発生部は第１の超音波を発生し、第２の超音波発生部は第２の超音波を発生し、前記第１の超音波と前記第２の超音波とは、前記それぞれの超音波の干渉によって、うなり音を発生させる。
【００１７】
好適には、照度センサを有し、前記制御部は、前記照度センサの出力が所定値よりも小さい場合には、前記超音波距離センサ及び前記超音波発生部を作動させない。
【発明の効果】
【００１８】
本発明によると、ユーザが電話の着信を認識が遅れず、かつ、ユーザの耳を保護することが可能な携帯電子機器を提供することができる。
【図面の簡単な説明】
【００１９】
【図１】本発明の実施形態に係る携帯電話機の外観を示す斜視図である。
【図２】図１の携帯電話機１の信号処理系を示すブロック図である。
【図３】本実施形態の処理のフローチャートである。
【図４】第１の変形例のフローチャートである。
【図５】第２の変形例の信号処理系を示すブロック図である。
【図６】第６の変形例の信号処理系を示すブロック図である。
【発明を実施するための形態】
【００２０】
図１は、本発明の実施形態に係る携帯電話機１の外観を示す斜視図である。
【００２１】
携帯電話機１は、折り畳み式として構成されている。
【００２２】
携帯電話機１は第１筐体２及び第２筐体３とで構成されている。
【００２３】
第１筐体２は、第２筐体３と対向する部分を構成する第１筐体フロントケース４と、第２筐体３とは反対側部分を構成する第１筐体リアケース５とを有している。
【００２４】
第２筐体３は、第１筐体２と対向する部分を構成する第２筐体フロントケース６と、第１筐体２とは反対側部分を構成する第２筐体リアケース７とを有している。
【００２５】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
【００２６】
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
【００２７】
これらの第１筐体フロントケース４、第１筐体リアケース５、第２筐体フロントケース６及び第２筐体リアケース７は、例えば、樹脂により形成されている。
【００２８】
なお、方向を示すときは、第１筐体リアケース５から第１筐体フロントケース４に向かう方向を表面方向（図１においては、紙面手前の方向）といい、第１筐体フロントケース４から第１筐体リアケース５に向かう方向を裏面方向（図１においては、紙面奥手の方向）という。
【００２９】
同様に第２筐体リアケース７から第２筐体フロントケース６に向かう方向を表面方向（図１においては、紙面手前の方向）といい、第２筐体フロントケース６から第２筐体リアケース７に向かう方向を裏面方向（図１においては、紙面奥手の方向）という。
【００３０】
また、第１筐体２においてヒンジ部９に向かう方向をヒンジ部方向（図１の第１筐体２においては、紙面下の方向）といい、その逆をヒンジ部反対方向（図１の第１筐体２においては、紙面上方向）という。
【００３１】
同様に、第２筐体３においても、ヒンジ部９に向かう方向をヒンジ部方向（図１の第２筐体３においては、紙面上の方向）といい、その逆をヒンジ部反対方向（図１の第２筐体３においては、紙面下の方向）という。
【００３２】
さらに、図１のように第１筐体２を上にし、第２筐体３を下にした状態とした時に、右側に来る側面を右側面とし、左側に来る側面を左側面という。
【００３３】
そして、右側面側に向かう方向を右側面方向（図１においては、紙面右の方向）といい、左側面に向かう方向を左側面方向（図１においては、紙面左の方向）という。
【００３４】
図１のように、第１筐体フロントケース４には表示部８が配置されている。
【００３５】
この表示部８は、携帯電話機１の状態、ユーザの操作内容、発信先電話番号、電子メールの内容の表示、ゲーム画面等の様々な情報を表示するためのものである。
【００３６】
また、表示部８はＬＣＤ（液晶ディスプレイ）、ＯＬＥＤ（Organic light-emitting diode：有機ＥＬ）等によって構成されている。
【００３７】
また、図１のように、第２筐体フロントケース６の表面方向には、入力部１０が配置されている。この入力部１０をユーザが操作することによって、携帯電話機１に命令の入力、文字の入力等がなされる。
【００３８】
第１筐体２の連結部反対方向の位置には、超音波距離センサ１６及び超音波発生部２０が配置されている。
【００３９】
超音波発生部２０は、超音波を発生可能して表面方向に出力する。
【００４０】
この超音波は対象物があると反射する。この反射波を超音波距離センサ１６は検出する。そして、超音波距離センサ１６は、超音波発生部２０が発生した時点と、反射を超音波距離センサ１６が検出した時点との時間の経過によって、対象物との距離を検出している。
【００４１】
このようにしたことによって、ユーザの頭が一定の距離以内にあるのかそれとも、一定の距離以上の距離を有しているのかを判定することができる。
【００４２】
そして、ユーザの頭が一定距離よりも近い場合には、着信音を設定された音量よりも小さい音量から出力し始め、徐々に音量を上げてゆき、最終的に設定された音量によって通知する。
【００４３】
他方、ユーザの頭が一定距離よりも遠い場合には、ユーザの耳に負担をかける恐れはないのであるから、当初から設定された音量によって着信を通知することができる。
【００４４】
そして、それによって、ユーザは即座に着信を認知することができる。
【００４５】
なお、超音波とは通常人間が聴取することができない周波数の音であり、２０，０００Ｈｚ以上の音をいう。
【００４６】
たとえば、超音波発生部２０は、２８ｋＨｚ、４０ｋＨｚ及び６０ｋＨｚの超音波を発生可能である。
【００４７】
なお、超音波距離センサ１６は、超音波発生部２０が発生した時点と、反射を超音波距離センサ１６が検出した時点との時間の経過によって距離を検出する以外によって距離を検出する方法を用いてもよい。
【００４８】
たとえば、超音波発生部２０が発生した超音波が対象物１８に当たらずに直接超音波距離センサ１６に伝達されこれを検出した時間と、超音波が対象物に１８に当たって反射した反射波を検出した時間と、の差分を用いて対象物１８との距離を検出することも可能である。
【００４９】
図２は、図１の携帯電話機１の信号処理系を示すブロック図である。
【００５０】
図２に示されるように、携帯電話機１は、制御・処理の中枢である制御部５７と、電源制御部５０と、通信部５１と、操作部５２と、音声入出力部５３と、表示部８と、撮像部１５と、記憶部５６のそれぞれが、アドレス、データ、コントロールのためのラインが複数本からなるシステムバス５８に共通に接続され、構成される。
【００５１】
電源制御部５０は、携帯電話機１が携帯して使用されている場合には、携帯電話機１内の、表示部８及び制御部５７等が実装される回路基板等への電力の供給を制御している。
【００５２】
また、充電時には充電回路を制御して、バッテリへの充電開始及び停止、並びに充電の速度等を制御している。
【００５３】
通信部５１は、無線通信システムを捕捉し、通信ネットワークに接続される基地局３００との間で無線通信を行い、各種データの送受信を行う。各種データとは、Ｗｅｂ上のダウンロードサイトからダウンロードされるファイルのデータ、音声通話時の音声データ、メール送受信時のメールデータ、ウェブ閲覧時のウェブページデータ、等である。
【００５４】
操作部５２は、入力部１０及びその他の部分から入力されるユーザの指示を受け付ける。
【００５５】
そして、これらのキーがユーザによって操作された場合に、その操作内容に対応する信号を発生し、これをユーザの指示として制御部５７に出力する。
【００５６】
音声入出力部５３は、スピーカ１２から出力される音声信号やマイクロフォン１４において入力される音声信号の入出力処理を行う。
【００５７】
すなわち、音声入出力部５３は、マイクロフォン１４から入力された音声を増幅し、アナログ／デジタル変換を行い、更に符号化等の信号処理を施し、デジタルの音声データに変換して制御部５７に出力する。
【００５８】
また、音声入出力部５３は、制御部５７から供給される音声データに復号化、デジタル／アナログ変換、増幅等の信号処理を施し、アナログの音声信号に変換してスピーカに出力する。
【００５９】
本実施形態においては、スピーカ１２は着信音を出力する役割を特に有する。
【００６０】
表示部８は、例えばＬＣＤやＯＬＥＤ（Organic light-emitting diode（有機ＥＬ））を用いて構成されており、制御部５７から供給される映像信号に応じた画像を表示する。
【００６１】
撮像部１５は、ＣＣＤ（Charge Coupled Device）やＣＭＯＳ（Complementary Metal Oxide Semiconductor）イメージセンサ等の光電変換素子とその制御回路等により構成されるカメラである。
【００６２】
記憶部５６では、携帯電話機１の各種処理に利用される各種データを記憶する。
【００６３】
超音波発生部２０は、超音波を発生して表面方向に出力する。
【００６４】
また、超音波距離センサ１６は、超音波発生部２０が出力した超音波が対象物１８に当たって反射された反射波を検出して、超音波を出射してから反射波が戻ってくるまでの時間から対象物との距離を検出している。
【００６５】
制御部５７は、携帯電話機１の全体的な動作を統括的に制御する。
【００６６】
すなわち、制御部５７は、携帯電話機１の各種処理（回線交換網を介して行われる音声通話、電子メールの作成と送受信、インターネットのＷｅｂ上のダウンロードサイトの閲覧など）が操作部５２の操作に応じて適切な手順で実行されるように、上述した各ブロックの動作（通信部５１における信号の送受信、表示部８における画像の表示、撮像部１５における撮像処理等）を制御する。
【００６７】
さらに、制御部５７は、記憶部５６に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
【００６８】
すなわち、制御部５７は、記憶部５６に格納されるオペレーティングシステムやアプリケーションプログラム等のプログラムから命令コードを順次受け取って処理を実行する。
【００６９】
本実施形態では、制御部５７は、超音波距離センサ１６が検出した対象物１８との距離に応じてスピーカ１２が出力する着信音の音量を決定している。
【００７０】
具体的には、制御部５７は、超音波距離センサ１６によって対象物が一定の距離以上であると判断したときに、着信音をユーザが予め設定している音量で出力する。
【００７１】
他方、制御部５７は、超音波距離センサ１６によって対象物が一定の距離以下であると判断した場合に、着信音をユーザが予め設定している音量よりも小さい音量で出力し、その後、徐々に設定音量まで着信音の音量を上げる。
【００７２】
図３は、本実施形態の処理のフローチャートである。
【００７３】
ステップＳＴ０１において、着信の有無を判断する。
【００７４】
そして着信があった場合には、ステップＳＴ０２の処理に移行する。
【００７５】
他方、着信がなかった場合には、着信があるまでこのステップＳＴ０１の処理を繰り返す。
【００７６】
ステップＳＴ０２において、超音波距離センサ１６によって対象物１８との距離を検出する。
【００７７】
ステップＳＴ０３において、超音波距離センサ１６によって検出された対象物１８との距離が一定以上であるか判断する。
【００７８】
一定の距離以上である場合には、ステップＳＴ０４の処理に移行する。
【００７９】
一定の距離未満である場合には、ステップＳＴ０５の処理に移行する。
【００８０】
ステップＳＴ０４において、着信音をユーザが設定した音量で最初から出力する。
【００８１】
ステップＳＴ０５において、着信音をユーザが設定した音量より小さい音量で出力し徐々に大きくしてゆく。
【００８２】
以上のように構成したことから、ユーザの耳がスピーカ１２のそばにあると判断される場合には、着信音を小さく鳴らすことができる。
【００８３】
さらに、ユーザの耳が遠くにあると判断される場合には、スピーカ１２の着信音の音量を最初から設定された着信音量である比較的大きくすることができることから、ユーザに着信の有無を直ちに認知させることができる。
【００８４】
＜第１の変形例＞
より有利な変形例について記載する。
【００８５】
以上のように、超音波距離センサ１６は対象物１８との距離を測定可能であるから、ユーザが着信音を聞いて、電話を取るために耳（頭）を近付けてきていることも検出可能である。
【００８６】
そこで、距離に応じて着信音を徐々に小さくして、一定の距離以下になると、自動的に通話を行ことができるようにすることが好適である。
【００８７】
そうすることよって、１動作で電話に出ることが可能となる。
【００８８】
以下に具体例について記載する。
【００８９】
図４は、第１の変形例のフローチャートである。
【００９０】
図３と同一の部分については説明を省略する。
【００９１】
ステップＳＴ０６において、着信音を鳴らしつつ超音波距離センサ１６によって対象物１８との距離を検出する。
【００９２】
そして、ステップＳＴ０７において、検出した距離に応じて徐々に着信音の音量を下げてゆく。
【００９３】
最後に、ステップＳＴ０８において、検出した距離が一定以下になると自動的に通話を開始する。
【００９４】
なお、この状態においては、超音波発生部２０の超音波出力は必要がないので停止している。
【００９５】
以上のように構成したことによって、ユーザは一つの動作で電話を受けることが可能となり、利便性が増す。
【００９６】
また、電話着信時に着信ボタンを押すことは、早く出なければとの心理からボタンの押し間違えや、心理的なプレッシャーにもなっていたが、ユーザがこれらの不安から解消される。
【００９７】
特に、高齢者などの携帯電話機１の操作に慣れていないユーザに効果が高い。
【００９８】
＜第２の変形例＞
以上の実施形態では、超音波発生部２０は、スピーカ１２とは別の部材としてとりつけていた。
【００９９】
しかし、スピーカ１２に超音波発生部能を持たせて、着信音の発生に加えて超音波をも発生させる（超音波に着信音を重畳する）ことが好適である。
【０１００】
図５は、第２の変形例の信号処理系を示すブロック図である。
【０１０１】
なお、通話しているときには、スピーカ１２は超音波を停止させる。
【０１０２】
図５のように、スピーカ１２に超音波発生機能をも有させると、部品点数が削減されるという効果がある。
【０１０３】
さらに、超音波に人が聞こえる着信音を重畳すると、着信音がより遠くまで聞こえるという効果もある。
【０１０４】
＜第３の変形例＞
さらに、携帯電話機１は３軸加速度センサをも備えて、この３軸加速度センサの出力に応じて前記、超音波距離センサ１６のゲインを変化させることもできる。
【０１０５】
これによって、ユーザが移動状態（たとえば徒歩）にあるのか、それとも、静止状態にあるのかを検出することができる。
【０１０６】
そして、移動状態にある場合には、超音波距離センサ１６のゲインを小さくして、感度を低くする。
【０１０７】
つまり、ユーザが移動状態にある場合には、バックの中、ポケットの中等に携帯電話機１が位置している場合が多く、携帯電話機１の近傍に何らかのものが存在する場合が多い。
【０１０８】
そこで、超音波距離センサ１６のゲインを小さくして、多少近くに対象物１８があっても、一定以上の距離があると判断させて、最初から、設定音量にて着信通知を行う。
【０１０９】
このように構成したことによって、移動状態時には最初から設定音量で着信を通知できることから、ユーザは早期に着信があったことを認知することができる。
【０１１０】
＜第４の変形例＞
また、超音波距離センサ１６に、対象物１８に反射した超音波（第１の超音波）と超音波発生部２０が出射した超音波が対象物１８に当たらずに直接受信した超音波（第２の超音波）の周波数の差分を利用して対象物１８の移動速度を割り出すことも可能である。
【０１１１】
つまり、ドップラー効果を利用して対象物１８の速度を検出する。
【０１１２】
そして、この対象物１８の速度に応じて、超音波距離センサ１６のゲインを変化させることもできる。
【０１１３】
具体的には、対象物１８が近付いてきている場合には、超音波距離センサ１６のゲインを大きくとって、設定音量よりも小さい音から着信音が出力されるようにする。
【０１１４】
逆に、対象物１８が遠ざかっている場合には、超音波距離センサ１６のゲインを小さくとって、当初から設定音量によって着信音が出力されるようにする。
【０１１５】
このように構成したことによって、対象物１８（ユーザの耳）が遠ざかっている場合には最初から設定音量で着信を通知できることから、ユーザは早期に着信があったことを認知することができる。
【０１１６】
＜第５の変形例＞
さらに、超音波発生部２０を複数備え、それぞれの超音波発生部２０から異なる周波数の超音波を出力する。
【０１１７】
具体的には、たとえば、一つの超音波発生部２０は２８ｋＨｚの超音波を発生し、他の一つの超音波発生部は４０ｋＨｚの超音波を発生させる。
【０１１８】
さらに、そのすべての超音波発生部２０からは、着信音も重畳して出射（出力）する。
【０１１９】
このような、周波数の異なる超音波をそれぞれ発生させることによって、着信音をより遠くまで伝達することが可能となる。
【０１２０】
また、複数の周波数の超音波に着信音を重畳して発信するため、一定の周波数の音を聞くのが困難なユーザに対しても確実に着信音を通知することができる。
【０１２１】
＜第６の変形例＞
さらに、第１の超音波発生部１２と第２の超音波発生部２０を備え、第１の超音波発生部１２は第１の超音波７０を発生し、第２の超音波発生部２０は第２の超音波８０を発生し、前記第１の超音波７０と前記第２の超音波８０とは、前記それぞれの超音波の干渉によって、うなり音を発生させる。
【０１２２】
図６は、図２に準拠しているが、音波の干渉をイメージするための音波の伝播を特に詳細に記載したものである。
【０１２３】
具体的には、たとえば、第１の超音波発生部１２は２８ｋＨｚの第１の超音波７０を発生し、第２の超音波発生部２０は２８ｋＨｚ＋２０Ｈｚ、すなわち、２８，０２０Ｈｚの第２の超音波８０を発生させる。それぞれの超音波は干渉して、干渉領域９０において、うなり音を発生させる。前述の構成では、２８，０２０Ｈｚ−２８，０００Ｈｚ＝２０Ｈｚのうなり音となる。
【０１２４】
また、たとえば、第１の超音波発生部１２は２８，０２０Ｈｚの第１の超音波７０を発生し、第２の超音波発生部２０は２８，０００Ｈｚの第２の超音波８０発生させる。それぞれの超音波は干渉して、干渉領域９０において、うなり音を発生させる。前述の構成と同様に、２８，０２０Ｈｚ−２８，０００Ｈｚ＝２０Ｈｚのうなり音となる。第１の超音波と第２の超音波の周波数の高低関係は問わない。
【０１２５】
すなわち、２つの音の周波数の差分がうなり音の周波数となる。うなり音の周波数は、前記差分を適宜選択可能である。
【０１２６】
また、上記では２８ｋＨｚ帯での例をあげたが、超音波の周波数は４０ｋＨｚ帯及び６０ｋＨｚ帯の超音波を発生可能である。
【０１２７】
なお、干渉領域は超音波発生部の配置や超音波の周波数により、適宜調整可能である。
【０１２８】
うなり音の効果としては、うなり音は比較的周波数が低いため、空気中を伝播する際の減衰量が少なく、ユーザは早期に着信があったことを認知することができる。
【０１２９】
また、超音波の音をユーザは感知できないが、うなり音は感知できるので、超音波の音量を大きくすれば、うなり音もそれに従って大きくなるので、音量を調整できるという効果を奏する。
【０１３０】
なお、対象物１８で反射された超音波はそれぞれ第１の超音波の反射波７１と第２の超音波の反射波８１となり、それぞれの反射波は、超音波距離センサ１６で検知される。
【０１３１】
＜第７の変形例＞
照度センサを筐体の側面に備えさせ、この照度センサの出力が所定値よりも小さい場合には、超音波距離センサ１６及び超音波発生部２０を作動させないようにすることも可能である。
【０１３２】
つまり、照度センサの値が一定値以下である場合には、ユーザは携帯電話機１をバックの中、服の中等に入れている場合が考えられる。
【０１３３】
このような場合には、超音波発生部２０及び超音波距離センサ１６によって、対象物１８との間の距離を計測しても、極めて近距離との結果となるだけである。
【０１３４】
その場合には、ユーザが設定した着信音量によって着信を通知すれば足りる。
【０１３５】
このように構成したことによって、照度センサの値が所定値よりも小さい場合には、最初から設定音量で着信を通知できることから、ユーザは早期に着信があったことを認知することができる。
【０１３６】
以上の実施形態によれば、携帯電話機１は、第１筐体２と、第１筐体２に配設される超音波発生部２０と、超音波発生部２０から出射された超音波が対象物１８で反射した反射波を検出して対象物との位置を検出可能な超音波距離センサ１６とを有している。
【０１３７】
また、着信音を出力するスピーカ１２と、制御部５７と、を有している。
【０１３８】
そして、制御部５７は、着信があった場合に、超音波発生部２０に超音波を発生し、超音波距離センサ１６での検出値によって対象物１８が一定の距離以上であると判断したときに、着信音を設定音量で出力する。
【０１３９】
また、超音波距離センサ１６での検出値によって対象物１８が一定の距離以内であると判断した場合に、着信音を設定音量よりも小さい音量で出力し、その後、徐々に設定音量まで着信音の音量を上げる。
【０１４０】
このように構成したことから、ユーザの耳がスピーカ１２のそばにあると判断される場合には、着信音を小さく鳴らすことができる。
【０１４１】
さらに、ユーザの耳が遠くにあると判断される場合には、スピーカ１２の着信音の音量を最初から設定された着信音量である比較的大きくすることができることから、ユーザに着信の有無を直ちに認知させることができる。
【０１４２】
着信音を出力するスピーカ１２は超音波発生部２０を兼ねる。
【０１４３】
このように構成すると、スピーカ１２に超音波発生機能をも有させると、部品点数が削減されるという効果がある。
【０１４４】
さらに、超音波に人が聞こえる着信音を重畳すると、着信音がより遠くまで聞こえるという効果もある。
【０１４５】
制御部５７は、超音波距離センサ１６によって検出される対象物１８の位置が近接するに従い着信音の音量を徐々に小さくする。
【０１４６】
このように構成したことによって、ユーザの耳に負荷がかからないという効果がある。
【０１４７】
制御部５７は、超音波距離センサ１６によって検出される対象物１８の位置が一定以内に近接すると、自動的に通話状態とする。
【０１４８】
このように構成したことによって、ユーザは一つの動作で電話を受けることが可能となり、利便性が増す。
【０１４９】
また、電話着信時に着信ボタンを押すことは、早く出なければとの心理からボタンの押し間違えや、心理的なプレッシャーにもなっていたが、ユーザがこれらの不安から解消される。
【０１５０】
特に、高齢者などの携帯電話機１の操作に慣れていないユーザに効果が高い。
【０１５１】
加速度センサを有し、加速度センサの検出した加速度に応じて、超音波距離センサ１６のゲインを変化させる。
【０１５２】
このように構成したことによって、移動状態時には最初から設定音量で着信を通知できることから、ユーザは早期に着信があったことを認知することができる。
【０１５３】
超音波距離センサ１６は、超音波発生部２０から出射された超音波のうち対象物１８に当たって反射し超音波距離センサ１６に入射した第１の超音波の周波数と、対象物１８に当たらずに直接超音波距離センサ１６に入射した第２の超音派の周波数との差分に応じて、超音波距離センサ１６のゲインを変化させる。
【０１５４】
このように構成したことによって、対象物１８（ユーザの耳）が遠ざかっている場合には最初から設定音量で着信を通知できることから、ユーザは早期に着信があったことを認知することができる。
【０１５５】
超音波発生部２０を２つ以上備え、それぞれの超音波発生部２０は、それぞれ異なる超音波の周波数に同じ着信音を重畳させて出射（出力）する。
【０１５６】
このように構成したことによって、周波数の異なる超音波をそれぞれ発生させることによって、着信音をより遠くまで伝達することが可能となる。
【０１５７】
また、複数の周波数の超音波に着信音を重畳して発信するため、一定の周波数の音を聞くのが困難なユーザに対しても確実に着信音を通知することができる。
【０１５８】
制御部５７は、照度センサの出力が所定値よりも小さい場合には、超音波距離センサ１６及び超音波発生部２０を作動させない。
【０１５９】
このように構成したことによって、照度センサの値が所定値よりも小さい場合には、最初から設定音量で着信を通知できることから、ユーザは早期に着信があったことを認知することができる。
【０１６０】
なお、以上の実施形態において、第１筐体２及び第２筐体３は本発明の筐体の一例である。つまり、筺体とは、携帯電子機器を収容する容器に該当するものであればどのようなものであってもよい。さらに、容器の一部、例えば、第１筐体フロントケース４、第１筐体リアケース５、第２筐体フロントケース６及び第２筐体リアケース７であっても筺体に該当する。
【０１６１】
本発明は、以上の実施形態に限定されず、種々の態様で実施されてよい。
【０１６２】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【０１６３】
１…携帯電話機、２…第１筐体、３…第２筐体、４…第１筐体フロントケース、５…第１筐体リアケース、６…第２筐体フロントケース、７…第２筐体リアケース、８…表示部、９…ヒンジ部、１０…入力部、１２…スピーカ（音出力部、超音波発生部）、１６…超音波距離センサ、２０…超音波発生部、５０…電源制御部、５１…通信部、５２…操作部、５３…音声入出力部、５５…撮像部、５６…記憶部、５７…制御部、５８…システムバス、７０…第１の超音波、７１…第の超音波の反射波、８０…第２の超音波、８１…第２の超音波の反射波、９０…干渉領域
【図１】
2011135551.tif 000003
【図２】
2011135551.tif 000004
【図３】
2011135551.tif 000005
【図４】
2011135551.tif 000006
【図５】
2011135551.tif 000007
【図６】
2011135551.tif 000008